(57)【要約】【課題】シールド部材により送受信モジュールを押圧固定する場合に、押圧力のばらつきを小さくすることのできる光コネクターを提供する。【解決手段】ハウジング１０には、プラグが連結されるプラグ連結部１１と、送受信モジュール２が取付けられるモジュール装着部１２とが形成され、モジュール装着部に取付けられる送受信モジュール２は一面が外方に向かって配置され、ハウジング１０の表面を覆う導電性の第１シールド部材２０と第２シールド部材３０が設けられ、第１シールド部材２０は、送受信モジュール２と対向する面を有すると共に、この面に送受信モジュール２の外方に向かって配置される一面を押圧する第１弾性部２７を有し、第２シールド部材３０は第１弾性部２７に弾接し第１弾性部を送受信モジュール２側に押圧する第２弾性部３６を有してなる。【選択図】図４
2011048219.tif 000002
【特許請求の範囲】
【請求項１】
光ファイバーを保持したプラグが装着されるハウジングと、前記ハウジングに取り付けられて前記光ファイバーで伝送された光信号を受光しまたは前記光ファイバーに光信号を送光する送受信モジュールとを有する光コネクターにおいて、
前記ハウジングには、前記プラグが連結されるプラグ連結部と、前記送受信モジュールが取付けられるモジュール装着部とが形成され、該モジュール装着部に取付けられる前記送受信モジュールは一面が外方に向かって配置され、
前記ハウジングの表面を覆う導電性の第１シールド部材と第２シールド部材が設けられ、前記第１シールド部材は、前記送受信モジュールと対向する面を有すると共に、該面には前記送受信モジュールのうち外方に向かって配置される一面を押圧する第１弾性部を有し、前記第２シールド部材は前記第１弾性部に弾接し該第１弾性部を前記送受信モジュール側に押圧する第２弾性部を有してなることを特徴とする光コネクター。
【請求項２】
前記第１弾性部は、前記第１シールド部材の送受信モジュールと対向する対向面部が切欠かれ片持ち状の板バネとして形成されて、先端部が前記送受信モジュールを押圧することを特徴とする請求項１記載の光コネクター。
【請求項３】
前記第２弾性部は、前記第１弾性部の先端部側に弾接すると共に、前記第１弾性部の形成に伴い前記対向面部に形成される切欠の少なくとも一部を塞ぐことを特徴とする請求項２記載の光コネクター。
【請求項４】
前記第２シールド部材の第２弾性部は、前記第１シールド部材の対向面部の送受信モジュール側面と、前記第１シールド部材の第１弾性部の外方側面との間の隙間に差し込まれることを特徴とする請求項３記載の光コネクター。
【請求項５】
前記第１弾性部は、先端部に前記送受信モジュール側に向かって凸状の第１突起部を有し、前記第２弾性部は、前記第１弾性部に対して弾接する部分に該第１弾性部側に向かって凸状の第２突起部を有することを特徴とする請求項２〜４のいずれか１項に記載の光コネクター。
【発明の詳細な説明】
【技術分野】
【０００１】
本発明は、光信号を受信しまたは発信する送受信モジュールと光ファイバーとを結合する光コネクターに関し、特に送受信モジュールを保護するシールド部材が設けられた光コネクターに関する。
【背景技術】
【０００２】
従来、光通信を行うにあたって、通信を行う機器を光ネットワークに接続するため、光コネクターが用いられる。光コネクターは、光ファイバーを保持するプラグが連結されるハウジングを有しており、このハウジングに、光ファイバーからの光信号を受信する送受信モジュールや光ファイバーに光信号を送る送受信モジュールが搭載されている。
【０００３】
この種の光コネクターでは、送受信モジュールが外部ノイズの影響を受けにくいように、送受信モジュールを金属材からなるシールド部材で覆うことが好ましい。このような光コネクターとしては、例えば特許文献１に挙げるようなものがある。
【先行技術文献】
【特許文献】
【０００４】
【特許文献１】特開２００９−１１１１１４号公報
【発明の概要】
【発明が解決しようとする課題】
【０００５】
送受信モジュールをシールド部材で覆う光コネクターにおいては、シールド部材により送受信モジュールを押圧し、送受信モジュールをハウジングに押付固定する構成が一般的に知られている。この場合、シールド部材にＵ字状等の切欠を形成してその内部を板バネ状の弾性部とし、その先端部で送受信モジュールの一面を弾性的に押圧していた。
【０００６】
シールド部材の一部に弾性部を形成して送受信モジュールを押圧する際、送受信モジュールの寸法誤差や、バネ形状の寸法誤差及びシールド部材のハウジングに対する組付誤差等によって、弾性部による送受信モジュールの押圧力にばらつきが生じる。送受信モジュールに所定の押圧力がかからなかった場合には、送受信モジュールの位置精度が十分に確保できないことも考えられる。したがって、光通信を確実に行うためには、送受信モジュールに対する押圧力のばらつきを小さくする必要があった。
【０００７】
本発明は前記課題を鑑みてなされたものであり、シールド部材の弾性部により送受信モジュールを押圧固定する場合に、押圧力のばらつきによる影響を小さくすることのできる光コネクターを提供することを目的とする。
【課題を解決するための手段】
【０００８】
前記課題を解決するため、本発明に係る光コネクターは、光ファイバーを保持したプラグが装着されるハウジングと、前記ハウジングに取り付けられて前記光ファイバーで伝送された光信号を受光しまたは前記光ファイバーに光信号を与える送受信モジュールとを有する光コネクターにおいて、
前記ハウジングには、前記プラグが連結されるプラグ連結部と、前記送受信モジュールが取付けられるモジュール装着部とが形成され、該モジュール装着部に取付けられる前記送受信モジュールは一面が外方に向かって配置され、
前記ハウジングの表面を覆う導電性の第１シールド部材と第２シールド部材が設けられ、前記第１シールド部材は、前記送受信モジュールと対向する面を有すると共に、該面には前記送受信モジュールのうち外方に向かって配置される一面を押圧する第１弾性部を有し、前記第２シールド部材は前記第１弾性部に弾接し該第１弾性部を前記送受信モジュール側に押圧する第２弾性部を有してなることを特徴として構成されている。
【０００９】
また、本発明に係る光コネクターは、前記第１弾性部は、前記第１シールド部材の送受信モジュールと対向する対向面部が切欠かれ片持ち状の板バネとして形成されて、先端部が前記送受信モジュールを押圧することを特徴として構成されている。
【００１０】
さらに、本発明に係る光コネクターは、前記第２弾性部は、前記第１弾性部の先端部側に弾接すると共に、前記第１弾性部の形成に伴い前記対向面部に形成される切欠の少なくとも一部を塞ぐことを特徴として構成されている。
【００１１】
さらにまた、本発明に係る光コネクターは、前記第２シールド部材の第２弾性部は、前記第１シールド部材の対向面部の送受信モジュール側面と、前記第１シールド部材の第１弾性部の外方側面との間の隙間に差し込まれることを特徴として構成されている。
【００１２】
そして、本発明に係る光コネクターは、前記第１弾性部は、先端部に前記送受信モジュール側に向かって凸状の第１突起部を有し、前記第２弾性部は、前記第１弾性部に対して弾接する部分に該第１弾性部側に向かって凸状の第２突起部を有することを特徴として構成されている。
【発明の効果】
【００１３】
本発明に係る光コネクターによれば、ハウジングの表面を覆う導電性の第１シールド部材と第２シールド部材が設けられ、第１シールド部材は、送受信モジュールと対向する面を有すると共に、この面には送受信モジュールのうち外方に向かって配置される一面を押圧する第１弾性部を有し、第２シールド部材は第１弾性部に弾接し第１弾性部を送受信モジュール側に押圧する第２弾性部を有してなることにより、第２弾性部が第１弾性部に重なり合って押圧するので、第１弾性部による送受信モジュールの押圧力を、確実に所定以上とすることができ、押圧力のばらつきによる影響を小さくすることができる。
【００１４】
また、本発明に係る光コネクターによれば、第１弾性部は、第１シールド部材の送受信モジュールと対向する対向面部が切欠かれ片持ち状の板バネとして形成されて、先端部が送受信モジュールを押圧することにより、第１弾性部を第１シールド部材に一体的に形成でき、部品点数を少なくすることができる。
【００１５】
さらに、本発明に係る光コネクターによれば、第２弾性部は、第１弾性部の先端部側に弾接すると共に、第１弾性部の形成に伴い対向面部に形成される切欠の少なくとも一部を塞ぐことにより、第１シールド部材に形成される隙間を小さくできるので、シールド効果を高めることができる。
【００１６】
さらにまた、本発明に係る光コネクターによれば、第２シールド部材の第２弾性部は、第１シールド部材の対向面部の送受信モジュール側面と、第１シールド部材の第１弾性部の外方側面との間の隙間に差し込まれることにより、第２弾性部により第１シールド部材の隙間を塞ぐと共に、第１弾性部を確実に押圧して送受信モジュールを強固に押し付けることができる。
【００１７】
そして、本発明に係る光コネクターによれば、第１弾性部は、先端部に送受信モジュール側に向かって凸状の第１突起部を有し、第２弾性部は、第１弾性部に対して弾接する部分に第１弾性部側に向かって凸状の第２突起部を有することにより、各突起部により、送受信モジュールに対して確実に力を伝達することができる。
【図面の簡単な説明】
【００１８】
【図１】本実施形態における光コネクターの分解斜視図である。
【図２】図１をＩＩ矢視方向から見た分解側面図である。
【図３】組み立てられた状態の光コネクターを示す断面図であり、図２に示すＩＶ−ＩＶ線での矢視断面に相当する断面図である。
【図４】組み立てられた状態の光コネクターを示す断面図であり、図３に示すＶＩ−ＶＩ線での矢視断面に相当する断面図である。
【図５】ハウジング１０に第１シールド部材及び第２シールド部材を取付けたときの、第１弾性部付近拡大正面図である。
【発明を実施するための形態】
【００１９】
本発明の実施形態について、図面に沿って詳細に説明する。図１には本実施形態における光コネクターの分解斜視図を、図２には図１をＩＩ矢視方向から見た分解側面図を、それぞれ示している。本実施形態の光コネクター１は、レセプタクルとして使用されるものであり、合成樹脂で形成された非導電性のハウジング１０に、送受信モジュール２、３が装着される。送受信モジュール２、３の一方が発光用のモジュールであり、他方が受光用のモジュールである。また、ハウジング１０には、一方の送受信モジュール２に対向する結合素子４と他方の送受信モジュール３に対向する結合素子５が保持される。
【００２０】
ハウジング１０には、２本の光ファイバーを保持したプラグが装着される。プラグがハウジング１０に装着されると、一方の光ファイバーのコアと送受信モジュール２とが結合素子４を介して光学的に結合され、他方の光ファイバーのコアと送受信モジュール３とが結合素子５を介して光学的に結合される。
【００２１】
ハウジング１０は、プラグ連結部１１とモジュール装着部１２とに区分されている。プラグ連結部１１とモジュール装着部１２との間は２つの連結部１３、１４で連結されている。また、ハウジング１０のプラグ連結部１１とモジュール装着部１２との間は、連結部１４以外の部分が空間状となっており、溝部１５を構成している。プラグ連結部１１とモジュール装着部１２および連結部１３、１４は、互いに分離することのないように合成樹脂材料で一体に形成されている。
【００２２】
図３には、組み立てられた状態の光コネクターを示す断面図であり、図２に示すＩＶ−ＩＶ線での矢視断面に相当する断面図を示している。この図に示すように、連結部１３の中心部には結合穴１３ｂが形成されており、連結部１４の中心部には結合穴１４ｂが形成されている。連結部１３の中心部に形成された結合穴１３ｂは、プラグ連結部１１とモジュール装着部１２に連通するように前後方向（Ｙ１−Ｙ２方向）に貫通している。同様に、連結部１４の中心部に形成された結合穴１４ｂも、プラグ連結部１１とモジュール装着部１２に連通するように前後方向（Ｙ１−Ｙ２方向）に貫通している。
【００２３】
図４には、組み立てられた状態の光コネクターを示す断面図であり、図３に示すＶＩ−ＶＩ線での矢視断面に相当する断面図を示している。この図に示すように、ハウジング１０のプラグ連結部１１には、プラグ装着凹部１６が形成されている。プラグ装着凹部１６の側壁１１ｂの内面には、前後に延びる複数の嵌合リブ１６ａが形成され、光ファイバーを保持したプラグは、ハウジング１０のプラグ装着凹部１６の内側面に適合する外側面を有すると共に、嵌合リブ１６ａに対応して凸部が形成されている。これにより、プラグをプラグ装着凹部１６に挿入することで、がたつきなく装着することができる。
【００２４】
プラグ装着凹部１６の内部には、後側壁１１ａから前方（Ｙ１方向）に向けて延びるファイバソケット１７が一体に形成されており、プラグに保持された光ファイバーの端部を保持固定することができるようにされている。
【００２５】
ハウジング１０のモジュール装着部１２には、後方（Ｙ２方向）に開口する装着凹部６、７が形成されている。装着凹部６はＸ１側に形成され装着凹部７はＸ２側に形成されており、装着凹部６と装着凹部７は、分離壁８で区分されている。図４の断面図には、Ｘ１側の装着凹部６が示されている。装着凹部６は後方（Ｙ２）とＸ１方向に開放されており、Ｙ１側は内壁面６ｂで塞がれている。Ｘ１側に形成された前記連結部１３を前後に貫通する結合穴１３ｂは、前記装着凹部６の内部に連通している。Ｘ２側に形成された装着凹部７は、後方（Ｙ２）へのみ開口しており、Ｙ１側は内壁面７ｂで塞がれている。Ｘ２側に形成された前記連結部１４を前後に貫通する結合穴１４ｂは、前記装着凹部７の内部に連通している。
【００２６】
図１に示すように、Ｘ１側に形成された装着凹部６の下部には、複数の端子挿入溝６ａが形成されている。同様に、Ｘ２側に形成された装着凹部７の下部には、複数の端子挿入溝７ａが形成されている。
【００２７】
結合素子４は、透明な合成樹脂材料（光学樹脂材料）で形成されており、フランジ部４ａと、フランジ部４ａからＹ１方向に直線的に延びる導光部４ｂを有している。フランジ部４ａのＹ２側には位置決めリング部４ｃが一体に形成されており、この位置決めリング部４ｃの内部にレンズ面４ｄが形成されている。レンズ面４ｄは球面または非球面である。結合素子５は、前記結合素子４と同じものであり、フランジ部５ａと導光部５ｂと位置決めリング部５ｃおよびレンズ面５ｄを有している。
【００２８】
結合素子４は、Ｘ１側の装着凹部６へ後方から装着される。結合素子４は、導光部４ｂが結合穴１３ｂ内に挿入され、フランジ部４ａが装着凹部６の内壁面６ｂに突き当てられて位置決めされる。同様に、結合素子５は、Ｘ２側の装着凹部７へ後方から装着される。結合素子５は、導光部５ｂが結合穴１４ｂに挿入され、フランジ部５ａが装着凹部７の内壁面７ｂに突き当てられて位置決めされる。
【００２９】
図４に示すように、一方の送受信モジュール２は合成樹脂のケース２Ａを有しており、このケース２Ａの前面に円形に窪む位置決め凹部２ａが形成されており、位置決め凹部２ａの中心にレンズ部２ｂが形成されている。ケース２Ａ内の受光素子または発光素子は前記レンズ部２ｂを介して、結合素子４のレンズ面４ｄに対向している。図１に示すように、送受信モジュール２のケース２ＡからはＸ１方向に突出する端子板２ｄが設けられ、この端子板２ｄに位置決め穴２ｅが形成されている。ケース２Ａの下側には、前記端子板２ｄから延びる端子およびその他の複数の端子から成る端子群２ｆが突出している。
【００３０】
他方の送受信モジュール３は、前記送受信モジュール２とＸ１−Ｘ２方向に対称形状である。図には現れていないがケース３Ａの前面には位置決め凹部が形成され、その中心にレンズ部が設けられて、ケース３Ａの内部の発光素子または受光素子がレンズ部を介して、結合素子５のレンズ面５ｄに対向している。図１に示すように、ケース３ＡからＸ２側に突出する端子板３ｄが設けられ、端子板３ｄに位置決め穴３ｅが開口している。またケース３Ａから下方へ複数の端子から成る端子群３ｆが突出している。
【００３１】
図４に示すように、Ｘ１側の装着凹部６内に装着される送受信モジュール２は、ケース２Ａの前面の位置決め凹部２ａが、結合素子４の位置決めリング部４ｃと嵌合し、端子板２ｄに形成された位置決め穴２ｅが、装着凹部６内の位置決め突起（図示せず）と嵌合して位置決めされる。これにより、送受信モジュール２は、一面２ｃがハウジング１０の外方に向かうように配置される。また、端子群２ｆの各端子は、装着凹部６の下側に形成された端子挿入溝６ａに挿入される。
【００３２】
同様に、Ｘ２側の装着凹部７に装着される送受信モジュール３はケース３Ａの前面に形成された位置決め凹部が、結合素子５の位置決めリング部５ｃと嵌合し、また端子板３ｄに形成された位置決め穴３ｅが、装着凹部７内に設けられた位置決め突起（図示せず）と嵌合して位置決めされる。これにより、送受信モジュール３は、一面３ｃがハウジング１０の外方に向かうように配置される。また、端子群３ｆの各端子が、端子挿入溝７ａ内に挿入される。
【００３３】
図１に示すように、ハウジング１０のモジュール装着部１２に、第１シールド部材２０が下側から装着される。第１シールド部材２０は、導電性の金属板によって形成されている。また、第１シールド部材２０には、下端から下方へ突出する複数の接地端子から成る接地端子群２９が一体に形成されている。
【００３４】
図１に示すように、第１シールド部材２０は、Ｙ２側に後外部シールド部２１を有している。後外部シールド部２１のＸ１側の端部からＹ１方向へ向けて右外部シールド部２２が直角に折り曲げられ、後外部シールド部２１のＸ２側の端部からＹ１方向へ向けて左外部シールド部２３が直角に折り曲げられている。右外部シールド部２２のＹ１側の前端からは、Ｘ２方向に向けて右境界シールド部２４が直角に折り曲げられ、左外部シールド部２３のＹ１側の前端からは、Ｘ１方向に向けて左境界シールド部２５が直角に折り曲げられている。
【００３５】
第１シールド部材２０は、右境界シールド部２４および左境界シールド部２５と、後外部シールド部２１とが前後方向（Ｙ１−Ｙ２方向）で平行に対向し、右外部シールド部２２と左外部シールド部２３とが横方向（Ｘ１−Ｘ２方向）で平行に対向している。
【００３６】
右境界シールド部２４には、上方（Ｚ１方向）に延びる弾性変形可能な掛止片２４ｅが形成されており、掛止片２４ｅの上端に、Ｘ１方向へ突出するフック部２４ｆが一体に形成されている。左境界シールド部２５にも、上方に延びる弾性変形可能な掛止片２５ｅが形成されており、掛止片２５ｅの上端に、Ｘ２方向へ突出するフック部２５ｆが一体に形成されている。図３に示すように、これらは、第１シールド部材２０と第２シールド部材３０をハウジング１０に取付けた際に、フック部２４ｆ、２５ｆが第２シールド部材３０の介入係合片３５ｅと係合する。
【００３７】
図１に示すように、第１シールド部材２０の送受信モジュール２、３と対向する対向面部である後外部シールド部２１には、逆Ｕ字状をなす切欠が左右２つ形成され、それぞれの内側部分が片持ち状の板バネとなる第１弾性部２７、２８として形成されている。第１弾性部２７、２８は、根元部分から送受信モジュール２、３側に向かって傾斜状となるように折り曲げられており、前後方向（Ｙ１−Ｙ２方向）に弾性変形可能とされている。また、第１弾性部２７、２８の先端部には、Ｙ１方向へ凸状の第１突起部２７ａ、２８ａがそれぞれ形成されている。
【００３８】
本実施形態では、第１弾性部２７、２８が、後外部シールド部２１における逆Ｕ字状の切欠によって、片持ち状の板バネとして形成されることで、第１弾性部２７、２８を第１シールド部材２０と一体的に形成でき、弾性部のための部品を設ける必要がない。なお、切欠の形状は逆Ｕ字状には限られず、コ字状やＶ字状であってもよく、片持ち状の板バネを形成できるものであればよい。
【００３９】
図１に示すように、ハウジング１０に対して上方から第２シールド部材３０が装着される。第２シールド部材３０は、第１シールド部材２０と同じ導電性の金属板によって形成されている。
【００４０】
第２シールド部材３０は、上保持シールド部３１を有しており、上保持シールド部３１のＸ１側の端部からＺ２方向へ直角に折り曲げられた右保持シールド部３２と、上保持シールド部３１のＸ２側の端部からＺ２方向へ直角に折り曲げられた左保持シールド部３３とが一体に形成されている。
【００４１】
図１に示すように、第２シールド部材３０の左保持シールド部３３には、その一部が切り欠かれて内側に折り曲げられた一対の掛止爪３３ａ、３３ｂが形成されており、右保持シールド部３２にも同様に内側に折り曲げられた掛止爪３２ａが形成されている。第２シールド部材３０がハウジング１０に対してＺ２方向へ装着されると、左保持シールド部３３が、プラグ連結部１１のＸ２側の側壁１１ｃの表面に設置され、掛止爪３３ａが側壁１１ｃの下部に形成された凹部１０ｅに掛止され、掛止爪３３ｂが側壁１１ｃの下部に形成された凹部１０ｆに掛止される。同様に、右保持シールド部３３が、プラグ連結部１１のＸ１側の側壁１１ｂの表面に設置され、掛止爪３２ａが側壁１１ｂの下部に形成された凹部に掛止される。これによって、第２シールド部材３０がハウジング１０に固定される。
【００４２】
前記上保持シールド部３１には矩形状の開口部３１ａが形成されており、開口部３１ａよりもＹ２側に、上外部シールド部３４が前記上保持シールド部３１と一体に形成されている。第２シールド部材３０がハウジング１０に固定されると、上保持シールド部３１が、プラグ連結部１１の上壁１１ｄの上面に設置されるとともに、上外部シールド部３４がモジュール装着部１２の上面にほぼ密着して設置される。上外部シールド部３４によって、モジュール装着部１２の上面のほぼ全域が覆われる。
【００４３】
また、第２シールド部材３０には、前記上外部シールド部３４のＹ１側の縁部と連続し且つ前記開口部３１ａの縁部からＺ２方向へ折り曲げられた中央境界シールド部３５が一体に形成されている。中央境界シールド部３５には、下向きに突出する介入係合片３５ｅが一体に形成されている。
【００４４】
さらに、第２シールド部材３０には、上外部シールド部３４のＹ２側の縁部から下向きに折り曲げられた第２弾性部３６が一体に形成されている。第２弾性部３６の下部には、第２突起部３６ａ、３６ｂが一体に形成されている。第２突起部３６ａ、３６ｂはＹ１方向へ向けて突出する凸状とされている。
【００４５】
図４に示すように、第１シールド部材２０と第２シールド部材３０をハウジング１０に取付けた状態において、第１シールド部材２０はハウジング１０の溝部１５に入り込んでいる。また、送受信モジュール２は、一面２ｃがハウジング１０の外方に向かうように配置されている。
【００４６】
第１シールド部材２０の第１弾性部２７は、前述のように送受信モジュール２側に向かって傾斜状となるように折り曲げられ弾性状となっているので、先端部の第１突起部２７ａが、送受信モジュール２の外方に向かう一面２ｃに対して当接し、送受信モジュール２をＹ１方向に押圧する。
【００４７】
第２シールド部材３０の第２弾性部３６は、ハウジング１０と第１シールド部材２０の後外部シールド部２１との間の隙間に差し込まれる。前述のように、第２シールド部材３０の第２弾性部３６は、下部に凸状の第２突起部３６ａが形成されており、この第２突起部３６ａにおいて第２弾性部３６は第１弾性部２８に対して弾接する。これにより、第２弾性部３６は第１弾性部２８を送受信モジュール２側に押圧する。
【００４８】
このように、第１弾性部２８は、先端部が第２弾性部３６の先端部と重なり合い、第２弾性部３６によって送受信モジュール２の外方に向かう一面２ｃに対して押し付けられるため、寸法誤差や組み付け誤差等により第１弾性部２８による送受信モジュール２に対する押圧力にばらつきがあったとしても、確実に所定以上の力で送受信モジュール２を押圧ことができ、安定的に送受信モジュール２を押圧固定しておくことができる。
【００４９】
第２シールド部材３０の第２弾性部３６は、先端部である第２弾性部３６が、第１シールド部材２０の後外部シールド部２１における送受信モジュール２側面と、第１シールド部材２０の第１弾性部２８の外方側面との間の隙間に差し込まれる。このため、後外部シールド部２１に形成された切欠のうち一部を、内側から塞ぐような形となる。
【００５０】
図５には、ハウジング１０に第１シールド部材２０及び第２シールド部材３０を取付けたときの、第１弾性部２８付近拡大正面図を示している。この図に示すように、ハウジング１０に第１シールド部材２０及び第２シールド部材３０を取付けた状態において、第１弾性部２７、２８が設けられることに伴い形成される後外部シールド部２１の逆Ｕ字状の切欠は、上半分が第２弾性部３６の先端部によって塞がれる。このように、第２弾性部３６により第１シールド部材２０の切欠を塞いでいることにより、送受信モジュール２、３に対するシールド効果をより高めることができる。
【００５１】
以上、本発明の実施形態について説明したが、本発明の適用は本実施形態には限られず、その技術的思想の範囲内において様々に適用されうるものである。
【符号の説明】
【００５２】
１  光コネクター
２、３  送受信モジュール
４、５  結合素子
６、７  装着凹部
１０  ハウジング
１１  プラグ連結部
１２  モジュール装着部
１３、１４  連結部
１５  溝部
１６  プラグ装着凹部
２０  第１のシールド部材
３０  第２のシールド部材
【図１】
2011048219.tif 000003
【図２】
2011048219.tif 000004
【図３】
2011048219.tif 000005
【図４】
2011048219.tif 000006
【図５】
2011048219.tif 000007